(57)【要約】【課題】電圧生成回路部の大型化を抑制することによって全体としても大型化を抑制可能な自己診断機能付き電圧測定装置を提供すること。【解決手段】電圧測定装置１は、入力電圧に応じた出力信号を発生する電圧測定回路部１０と、電圧生成回路部２０と、制御部４０とを備える。電圧測定モード時、電圧測定回路部１０の出力信号に基づいて、入力電圧の測定結果が出力電圧値として検出される。自己診断モード時、電圧生成回路部２０を用いた下限電圧Ｖ１の印加時の出力電圧値ｖ１が下限規定範囲Ｓ１内にあるか否かが判定され（第１判定）、出力電圧値ｖ１及び上限規定範囲Ｓ２に基づいて中間規定範囲Ｓ３が設定され、電圧生成回路部２０を用いた中間電圧Ｖ３の印加時の出力電圧値ｖ３が中間規定範囲Ｓ３内にあるか否かが判定され（第２判定）、第１、第２判定の結果に基づいて、電圧測定回路部１０の自己診断が行われる。【選択図】図４
2020047092.tif 000002
【特許請求の範囲】
【請求項１】
２つの入力部の間の電圧である入力電圧に応じた出力信号を発生する電圧測定回路部と、
所定範囲の電圧を生成可能な電圧生成回路部と、
前記電圧測定回路部及び前記電圧生成回路部に接続された制御部と、
を備え、
前記制御部は、
電圧測定モード時、
前記電圧測定回路部の前記出力信号に基づいて、前記入力電圧の測定結果を出力電圧値として検出するように構成され、
自己診断モード時、
入力電圧範囲の下限電圧を前記２つの入力部の間に前記電圧生成回路部を用いて印加した第１状態で、前記電圧測定回路部の前記出力信号に基づいて検出された出力電圧値が、前記入力電圧が前記下限電圧であるときに出力電圧値が採るべき下限規定範囲内にあるか否かを判定する第１判定を行い、
前記第１状態で検出された出力電圧値、及び、前記入力電圧が前記入力電圧範囲の上限電圧であるときに出力電圧値が採るべき上限規定範囲に基づいて、前記入力電圧が前記下限電圧と前記上限電圧との間の中間電圧であるときに出力電圧値が採るべき中間規定範囲を設定し、
前記中間電圧を前記２つの入力部の間に前記電圧生成回路部を用いて印加した第２状態で、前記電圧測定回路部の前記出力信号に基づいて検出された出力電圧値が、前記設定された中間規定範囲内にあるか否かを判定する第２判定を行い、
前記第１判定及び前記第２判定の結果に基づいて、前記電圧測定回路部が正常か否かの自己診断を行うように構成された、自己診断機能付き電圧測定装置。
【請求項２】
請求項１に記載の自己診断機能付き電圧測定装置において、
前記制御部は、前記第１状態で検出された出力電圧値、並びに、前記上限規定範囲の上限値及び下限値に基づいて、前記中間規定範囲を設定するように構成された、自己診断機能付き電圧測定装置。
【請求項３】
２つの入力部の間の電圧である入力電圧に応じた出力信号を発生する電圧測定回路部と、所定範囲の電圧を生成可能な電圧生成回路部とを備え、前記電圧測定回路部の前記出力信号に基づいて前記入力電圧の測定結果を出力電圧値として検出する電圧測定装置の自己診断方法であって、
入力電圧範囲の下限電圧を前記２つの入力部の間に前記電圧生成回路部を用いて印加した第１状態で、前記電圧測定回路部の前記出力信号に基づいて検出された出力電圧値が、前記入力電圧が前記下限電圧であるときに出力電圧値が採るべき下限規定範囲内にあるか否かを判定する第１判定を行うステップと、
前記第１状態で検出された出力電圧値、及び、前記入力電圧が前記入力電圧範囲の上限電圧であるときに出力電圧値が採るべき上限規定範囲に基づいて、前記入力電圧が前記下限電圧と前記上限電圧との間の中間電圧であるときに出力電圧値が採るべき中間規定範囲を設定するステップと、
前記中間電圧を前記２つの入力部の間に前記電圧生成回路部を用いて印加した第２状態で、前記電圧測定回路部の前記出力信号に基づいて検出された出力電圧値が、前記設定された中間規定範囲内にあるか否かを判定する第２判定を行うステップと、
前記第１判定及び前記第２判定の結果に基づいて、前記電圧測定回路部が正常か否かの自己診断を行うステップと、
を含む、電圧測定装置の自己診断方法。
【発明の詳細な説明】
【技術分野】
【０００１】
本発明は、自己診断機能付き電圧測定装置、及び、電圧測定装置の自己診断方法に関する。
【背景技術】
【０００２】
従来より、２つの入力部の間の電圧（入力電圧）に応じた出力信号を発生する電圧測定回路部を備え、前記出力信号に基づいて前記入力電圧の測定結果を出力電圧値として検出する電圧測定装置が広く知られている（例えば、特許文献１を参照）。この種の電圧測定装置は、例えば、電動モータを駆動源とする電気自動車に搭載されて、電動モータに電力を供給するバッテリの電圧を測定するために使用され得る。
【先行技術文献】
【特許文献】
【０００３】
【特許文献１】特開平５−１９９７４２号公報
【発明の概要】
【発明が解決しようとする課題】
【０００４】
車両に搭載された電圧測定装置では、出力電圧値の正確性を担保するため、所定のタイミング毎に、電圧測定回路部が正常か否かの診断を行う必要がある。この診断を行う方法として、例えば、予め想定される入力電圧範囲の下限電圧を２つの入力部の間に実際に印加し、そのときの出力電圧値が、入力電圧が下限電圧であるときに出力電圧値が採るべき下限規定範囲内にあるか否かを判定し、且つ、前記入力電圧範囲の上限電圧を２つの入力部の間に実際に印加し、そのときの出力電圧値が、入力電圧が上限電圧であるときに出力電圧値が採るべき上限規定範囲内にあるか否かを判定する方法が考えられる。
【０００５】
車両に搭載された電圧測定装置自身に、上記の診断方法を用いた自己診断を行わせるためには、電圧測定装置自身に、下限電圧及び上限電圧を発生可能な電圧生成回路部を搭載する必要がある。しかしながら、このような自己診断機能付き電圧測定装置では、特に、上限電圧が非常に高い場合においては、高耐圧部品を使用したり、電気的絶縁を達成するために比較的長い沿面距離を確保する必要がある。このため、電圧生成回路部を、高電圧に耐え得るように大型化する必要が生じ、この結果、電圧測定装置全体としても大型化するという問題がある。
【０００６】
本発明は、上述した事情に鑑みてなされたものであり、その目的は、電圧生成回路部の大型化を抑制することによって全体としても大型化を抑制可能な自己診断機能付き電圧測定装置、及び、電圧測定装置の自己診断方法を提供することにある。
【課題を解決するための手段】
【０００７】
前述した目的を達成するために、本発明に係る自己診断機能付き電圧測定装置、及び、電圧測定装置の自己診断方法は、下記（１）〜（３）を特徴としている。
（１）
２つの入力部の間の電圧である入力電圧に応じた出力信号を発生する電圧測定回路部と、
所定範囲の電圧を生成可能な電圧生成回路部と、
前記電圧測定回路部及び前記電圧生成回路部に接続された制御部と、
を備え、
前記制御部は、
電圧測定モード時、
前記電圧測定回路部の前記出力信号に基づいて、前記入力電圧の測定結果を出力電圧値として検出するように構成され、
自己診断モード時、
入力電圧範囲の下限電圧を前記２つの入力部の間に前記電圧生成回路部を用いて印加した第１状態で、前記電圧測定回路部の前記出力信号に基づいて検出された出力電圧値が、前記入力電圧が前記下限電圧であるときに出力電圧値が採るべき下限規定範囲内にあるか否かを判定する第１判定を行い、
前記第１状態で検出された出力電圧値、及び、前記入力電圧が前記入力電圧範囲の上限電圧であるときに出力電圧値が採るべき上限規定範囲に基づいて、前記入力電圧が前記下限電圧と前記上限電圧との間の中間電圧であるときに出力電圧値が採るべき中間規定範囲を設定し、
前記中間電圧を前記２つの入力部の間に前記電圧生成回路部を用いて印加した第２状態で、前記電圧測定回路部の前記出力信号に基づいて検出された出力電圧値が、前記設定された中間規定範囲内にあるか否かを判定する第２判定を行い、
前記第１判定及び前記第２判定の結果に基づいて、前記電圧測定回路部が正常か否かの自己診断を行うように構成された、自己診断機能付き電圧測定装置であること。
（２）
上記（１）に記載の自己診断機能付き電圧測定装置において、
前記制御部は、前記第１状態で検出された出力電圧値、並びに、前記上限規定範囲の上限値及び下限値に基づいて、前記中間規定範囲を設定するように構成された、自己診断機能付き電圧測定装置であること。
（３）
２つの入力部の間の電圧である入力電圧に応じた出力信号を発生する電圧測定回路部と、所定範囲の電圧を生成可能な電圧生成回路部とを備え、前記電圧測定回路部の前記出力信号に基づいて前記入力電圧の測定結果を出力電圧値として検出する電圧測定装置の自己診断方法であって、
入力電圧範囲の下限電圧を前記２つの入力部の間に前記電圧生成回路部を用いて印加した第１状態で、前記電圧測定回路部の前記出力信号に基づいて検出された出力電圧値が、前記入力電圧が前記下限電圧であるときに出力電圧値が採るべき下限規定範囲内にあるか否かを判定する第１判定を行うステップと、
前記第１状態で検出された出力電圧値、及び、前記入力電圧が前記入力電圧範囲の上限電圧であるときに出力電圧値が採るべき上限規定範囲に基づいて、前記入力電圧が前記下限電圧と前記上限電圧との間の中間電圧であるときに出力電圧値が採るべき中間規定範囲を設定するステップと、
前記中間電圧を前記２つの入力部の間に前記電圧生成回路部を用いて印加した第２状態で、前記電圧測定回路部の前記出力信号に基づいて検出された出力電圧値が、前記設定された中間規定範囲内にあるか否かを判定する第２判定を行うステップと、
前記第１判定及び前記第２判定の結果に基づいて、前記電圧測定回路部が正常か否かの自己診断を行うステップと、
を含む、電圧測定装置の自己診断方法であること。
【０００８】
上記（１）の構成の自己診断機能付き電圧測定装置によれば、入力電圧として下限電圧が実際に印加されたとき（下限電圧印加時）の出力電圧値が下限規定範囲にあるか否かが判定され（第１判定）、入力電圧として中間電圧が実際に印加されたとき（中間電圧印加時）の出力電圧値が中間規定範囲にあるか否かが判定され（第２判定）、第１判定及び第２判定の結果に基づいて、電圧測定回路部が正常か否かの自己診断が行われる。
【０００９】
ここで、中間規定範囲は、下限電圧印加時の実際の出力電圧値と、上限規定範囲と、に基づいて設定される。このことに起因して、中間電圧印加時の出力電圧値が中間規定範囲にあるか否かを判定することにより、入力電圧として上限電圧が実際に印加されたとき（上限電圧印加時）の出力電圧値が上限規定範囲内にあるか否かを精度良く判定することができる（この点については、後に詳述する）。
【００１０】
以上より、入力電圧として、下限電圧、及び、上限電圧より低い中間電圧を実際に印加することで、下限電圧印加時の出力電圧値が下限規定範囲内にあるか否か、及び、上限電圧印加時の出力電圧値が上限規定範囲内にあるか否かを判定し、電圧測定回路部が正常か否かの自己診断を行うことができる。
【００１１】
従って、電圧生成回路部が発生しなければならない電圧値の最大値を、上限電圧から中間電圧に下げることができる分だけ、電圧生成回路部を小型化することが可能となる。この結果、上限電圧が非常に高い場合であっても、電圧生成回路部の大型化を抑制することができ、電圧測定装置全体としても大型化を抑制することができる。
【００１２】
上記（２）の構成の自己診断機能付き電圧測定装置によれば、中間電圧印加時の出力電圧値が中間規定範囲にあるか否かを判定することによって上限電圧印加時の出力電圧値が上限規定範囲内にあるか否かを精度良く判定できるようにするために設定されるべき中間規定範囲を、精度良く設定することができる（この点については、後述する）。
【００１３】
上記（３）の構成の電圧測定装置の自己診断方法によれば、下限電圧印加時の出力電圧値が下限規定範囲にあるか否かが判定され（第１判定）、中間電圧印加時の出力電圧値が中間規定範囲にあるか否かが判定され（第２判定）、第１判定及び第２判定の結果に基づいて、電圧測定回路部が正常か否かの自己診断が行われる。
【００１４】
ここで、中間規定範囲は、下限電圧印加時の実際の出力電圧値と、上限規定範囲と、に基づいて設定される。このことに起因して、中間電圧印加時の出力電圧値が中間規定範囲にあるか否かを判定することにより、上限電圧印加時の出力電圧値が上限規定範囲内にあるか否かを精度良く判定することができる（この点については、後に詳述する）。
【００１５】
以上より、入力電圧として、下限電圧、及び、上限電圧より低い中間電圧を実際に印加することで、下限電圧印加時の出力電圧値が下限規定範囲内にあるか否か、及び、上限電圧印加時の出力電圧値が上限規定範囲内にあるか否かを判定し、電圧測定回路部が正常か否かの自己診断を行うことができる。
【００１６】
従って、電圧生成回路部が発生しなければならない電圧値の最大値を、上限電圧から中間電圧に下げることができる分だけ、電圧生成回路部を小型化することが可能となる。この結果、上限電圧が高い場合であっても、電圧生成回路部の大型化を抑制することができ、電圧測定装置全体としても大型化を抑制することができる。
【発明の効果】
【００１７】
本発明によれば、電圧生成回路部の大型化を抑制することによって全体としても大型化を抑制可能な自己診断機能付き電圧測定装置、及び、電圧測定装置の自己診断方法を提供できる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】図１は、本実施形態に係る自己診断機能付き電圧測定装置の回路構成図である。
【図２】図２は、電圧測定回路部の自己診断方法を説明するための第１の図である。
【図３】図３は、電圧測定回路部の自己診断方法を説明するための第２の図である。
【図４】図４は、電圧測定回路部の自己診断方法を説明するための第３の図である。
【図５】図５は、本実施形態の変形例に係る自己診断機能付き電圧測定装置の回路構成図である。
【発明を実施するための形態】
【００２０】
＜実施形態＞
以下、図面を参照しながら、本発明の実施形態に係る自己診断機能付き電圧測定装置１、及び、電圧測定装置１の自己診断方法について説明する。
【００２１】
図１に示すように、電圧測定装置１は、１枚の基板２上に配置された電気回路等で構成されている。電圧測定装置１は、典型的には、電動モータを駆動源とする電気自動車に搭載されて、電動モータに電力を供給するバッテリの電圧を測定するために使用される。
【００２２】
図１に示すように、電圧測定装置１は、電圧測定回路部１０と、電圧生成回路部２０と、スイッチ回路部３０と、制御部４０と、を含んでいる。
【００２３】
電圧測定回路部１０は、２つの入力部Ｐ１，Ｐ２の間の電圧（電位差）（以下、「入力電圧」と呼ぶ）に応じた出力信号を出力部Ｐ３に発生する公知の電気回路である。電圧測定回路部１０は、抵抗Ｒ１〜Ｒ８、及び、オペアンプＯＰ１〜ＯＰ４を含んで構成されている。オペアンプＯＰ１〜ＯＰ４の駆動電圧は、後述する電源回路２２から供給されるようになっている。
【００２４】
抵抗Ｒ１〜Ｒ４は、主として、中間部Ｐ４，Ｐ５間の電圧（電位差）を、所定の減少率で入力電圧（入力部Ｐ１，Ｐ２の間の電圧）から減圧した値とするために設けられている。オペアンプＯＰ１〜ＯＰ３は、主として、中間部Ｐ４，Ｐ５間の電圧を安定させるために設けられている。
【００２５】
抵抗Ｒ５〜Ｒ８、及び、オペアンプＯＰ４は、所謂差動増幅回路を構成している。即ち、中間部Ｐ４，Ｐ５間の電圧が、所定の増減率で増減されて出力部Ｐ３に出力されるようになっている。以上より、電圧測定回路部１０では、入力電圧（入力部Ｐ１，Ｐ２の間の電圧）に応じた出力信号が出力部Ｐ３に発生するようになっている。
【００２６】
電圧生成回路部２０は、公知の電気回路で構成されており、絶縁電源２１が発生する一定電圧を所定範囲内で昇圧・減圧して、後述する２つの接点部Ｐ８，Ｐ９の間の電圧（電位差）として出力するようになっている。ここでは、電圧生成回路部２０の詳細な回路構成についての説明を省略する。電圧生成回路部２０の駆動電圧は、後述する電源回路２２から供給されるようになっている。
【００２７】
スイッチ回路部３０は、電圧測定モード時と自己診断モード時とで電気回路を切り替える機能を有する。電圧測定モード及び自己診断モードの詳細については後述する。スイッチ回路部３０は、電圧測定モード時、入力部Ｐ１，Ｐ２をそれぞれ、外部入力端子Ｈ１，Ｈ２にそれぞれ接続された接点部Ｐ６，Ｐ７に接続し、自己診断モード時、入力部Ｐ１，Ｐ２を、電圧生成回路部２０の出力側に接続された接点部Ｐ８，Ｐ９に接続するように作動する。スイッチ回路部３０の駆動電圧は、後述する電源回路２２から供給されるようになっている。
【００２８】
制御部４０は、マイクロコンピュータで構成され、電圧生成回路部２０及び、スイッチ回路部３０を制御するようになっている。制御部４０の駆動電圧は、車両のイグニッションＩＧと、車両のアースＧＮＤとに接続された電源回路２２から供給されるようになっている。
【００２９】
具体的には、制御部４０は、電圧生成回路部２０を制御して、電圧生成回路部２０の出力電圧を所定範囲内で任意に調整可能となっている。制御部４０は、外部からの入力信号等に基づいて電圧測定モード及び自己診断モードの何れかのモードを選択し、スイッチ回路部３０を制御して、選択されたモードに対応する電気回路を実現するようになっている。
【００３０】
制御部４０は、電圧測定回路部１０の出力部Ｐ３の出力信号を入力して、入力電圧（入力部Ｐ１，Ｐ２の間の電圧）の測定結果を出力電圧値として検出し、その検出結果を、外部出力端子Ｈ３を介して外部の電装機器やメモリ等に出力するようになっている。以上、電圧測定装置１の構成について説明した。次に、電圧測定モード及び自己診断モードについて順に説明する。
【００３１】
＜電圧測定モード＞
電圧測定モードとは、外部入力端子Ｈ１，Ｈ２に接続された被電圧測定対象（例えば、車両のバッテリ）の電圧（外部入力端子Ｈ１，Ｈ２の間の電圧）を測定するモードである。電圧測定モードでは、上述したように、制御部４０からの指示により、スイッチ回路部３０は、電圧測定回路部１０の入力部Ｐ１，Ｐ２をそれぞれ、外部入力端子Ｈ１，Ｈ２に接続するように作動する。この結果、外部入力端子Ｈ１，Ｈ２の間の電圧が、入力電圧（入力部Ｐ１，Ｐ２の間の電圧）として電圧測定回路部１０に入力される。
【００３２】
電圧測定回路部１０は、上述したように、入力電圧に応じた出力信号を出力部Ｐ３に発生する。制御部４０は、出力部Ｐ３の出力信号を入力して、入力電圧（外部入力端子Ｈ１，Ｈ２の間の電圧）の測定結果を出力電圧値として検出し、その検出結果を、外部出力端子Ｈ３を介して外部の電装機器やメモリ等に出力する。
【００３３】
＜自己診断モード＞
自己診断モードとは、出力電圧値の正確性を担保するため、電圧測定回路部１０が正常か否かの診断を、制御部４０自身が行うモードである。自己診断モードは、例えば、所定の時間が経過する毎、イグニッションＩＧがオフからオンに変化する毎等に選択される。
【００３４】
自己診断モードでは、上述したように、制御部４０からの指示により、スイッチ回路部３０は、電圧測定回路部１０の入力部Ｐ１，Ｐ２を、電圧生成回路部２０の出力側に接続するように作動する。この結果、電圧生成回路部２０の出力電圧が、入力電圧（入力部Ｐ１，Ｐ２の間の電圧）として電圧測定回路部１０に印加される。
【００３５】
電圧生成回路部２０が正常か否かの自己診断を行う方法として、予め想定される入力電圧範囲の下限電圧Ｖ１を入力部Ｐ１，Ｐ２の間に電圧生成回路部２０を用いて実際に印加し、そのときの出力電圧値が、入力電圧が下限電圧Ｖ１であるときに出力電圧値が採るべき下限規定範囲Ｓ１（図２参照）内にあるか否かを判定し、且つ、入力電圧範囲の上限電圧Ｖ２を入力部Ｐ１，Ｐ２の間に電圧生成回路部２０を用いて実際に印加し、そのときの出力電圧値が、入力電圧が上限電圧Ｖ２であるときに出力電圧値が採るべき上限規定範囲Ｓ２（図２参照）内にあるか否かを判定する方法が考えられる。
【００３６】
しかしながら、この方法を採用すると、電圧生成回路部２０が発生しなければならない電圧値の最大値が上限電圧Ｖ２となるため、上限電圧Ｖ２が非常に高い場合において、電圧生成回路部２０を、高電圧に耐え得るように大型化する必要が生じる。この結果、電圧測定装置１全体としても大型化するという問題がある。
【００３７】
この問題に対処するため、制御部４０は、以下に示す方法により、電圧生成回路部２０が正常か否かの自己診断を行う。なお、制御部４０は、下限電圧Ｖ１、上限電圧Ｖ２、下限規定範囲Ｓ１、上限規定範囲Ｓ２、及び、後述する中間電圧Ｖ３を、予め、自身が有するメモリ等に記憶している。
【００３８】
先ず、制御部４０は、電圧生成回路部２０の出力電圧が下限電圧Ｖ１になるように電圧生成回路部２０を制御する。この結果、電圧測定回路部１０の入力電圧（入力部Ｐ１，Ｐ２の間の電圧）が下限電圧Ｖ１に維持される（下限電圧印加時）。この状態で、図２に示すように、制御部４０が電圧測定回路部１０の出力信号に基づいて出力電圧値を検出し、検出された出力電圧値ｖ１が下限規定範囲Ｓ１内にあるか否かを判定する（第１判定）。
【００３９】
この第１判定において、出力電圧値ｖ１が下限規定範囲Ｓ１外にあると判定された場合、制御部４０は、自己診断を直ちに終了して、電圧測定回路部１０が異常であるとの診断結果を、外部出力端子Ｈ３を介して外部の電装機器やメモリ等に出力する。
【００４０】
一方、第１判定において、出力電圧値ｖ１が下限規定範囲Ｓ１内にあると判定された場合、制御部４０は、図３に示すように、出力電圧値ｖ１、及び、上限規定範囲Ｓ２に基づいて、入力電圧が下限電圧Ｖ１と上限電圧Ｖ２との間の中間電圧Ｖ３であるときに出力電圧値が採るべき中間規定範囲Ｓ３を設定する。
【００４１】
図３に示す例では、入力電圧に対して出力電圧値がリニア（一次関数的）に推移するとの過程の下、出力電圧値ｖ１と上限規定範囲Ｓ２の上限値とを結ぶ線分Ｌ１と、中間電圧Ｖ３とに基づいて、中間規定範囲Ｓ３の上限値が設定され、出力電圧値ｖ１と上限規定範囲Ｓ２の下限値とを結ぶ線分Ｌ２と、中間電圧Ｖ３とに基づいて、中間規定範囲Ｓ３の下限値が設定される。この結果、中間規定範囲Ｓ３が設定される。
【００４２】
次に、制御部４０は、電圧生成回路部２０の出力電圧が（上限電圧Ｖ２ではなく）中間電圧Ｖ３になるように電圧生成回路部２０を制御する。この結果、電圧測定回路部１０の入力電圧（入力部Ｐ１，Ｐ２の間の電圧）が中間電圧Ｖ３に維持される（中間電圧印加時）。この状態で、図４に示すように、制御部４０が電圧測定回路部１０の出力信号に基づいて出力電圧値を検出し、検出された出力電圧値ｖ３が中間規定範囲Ｓ３内にあるか否かを判定する（第２判定）。
【００４３】
ここで、入力電圧に対して出力電圧値がリニアに推移するとの過程の下では、図４からも明らかなように、中間電圧印加時の出力電圧値が中間規定範囲Ｓ３にあることは、電圧測定回路部１０の入力電圧（入力部Ｐ１，Ｐ２の間の電圧）が上限電圧Ｖ２に維持された状態（上限電圧印加時）での出力電圧値が上限規定範囲Ｓ２内にあることを意味し、中間電圧印加時の出力電圧値が中間規定範囲Ｓ３にないことは、上限電圧印加時の出力電圧値が上限規定範囲Ｓ２内にないことを意味する。即ち、中間電圧印加時の出力電圧値が中間規定範囲Ｓ３にあるか否かを判定することにより、上限電圧印加時の出力電圧値が上限規定範囲Ｓ２内にあるか否かを精度良く判定することができる。
【００４４】
従って、第２判定では、出力電圧値ｖ３が中間規定範囲Ｓ３内にあるか否かを判定することで、実質的に、上限電圧印加時の出力電圧値が上限規定範囲Ｓ２内にあるか否かが判定される。
【００４５】
この第２判定において、出力電圧値ｖ３が中間規定範囲Ｓ３外にあると判定された場合（即ち、上限電圧印加時の出力電圧値が上限規定範囲Ｓ２外にあると判定された場合）、制御部４０は、電圧測定回路部１０が異常であるとの診断結果を、外部出力端子Ｈ３を介して外部の電装機器やメモリ等に出力する。
【００４６】
一方、第２判定において、出力電圧値ｖ３が中間規定範囲Ｓ３内にあると判定された場合（即ち、上限電圧印加時の出力電圧値が上限規定範囲Ｓ２内にあると判定された場合）、第１判定において下限電圧印加時の出力電圧値ｖ１が下限規定範囲Ｓ１内にあり、且つ、第２判定において上限電圧印加時の出力電圧値が上限規定範囲Ｓ２内にあると判定されたことを意味する。この場合、制御部４０は、電圧測定回路部１０が正常であるとの診断結果を、外部出力端子Ｈ３を介して外部の電装機器やメモリ等に出力する。
【００４７】
以上より、入力電圧として、下限電圧Ｖ１、及び、上限電圧Ｖ２より低い中間電圧Ｖ３を実際に印加することで、下限電圧印加時の出力電圧値ｖ１が下限規定範囲Ｓ１内にあるか否か、及び、上限電圧印加時の出力電圧値が上限規定範囲Ｓ２内にあるか否かを判定し、電圧測定回路部１０が正常か否かの自己診断を行うことができる。
【００４８】
以上、本発明の実施形態に係る本発明の実施形態に係る自己診断機能付き電圧測定装置１、及び、電圧測定装置１の自己診断方法によれば、電圧測定回路部１０の入力電圧（入力部Ｐ１，Ｐ２の間の電圧）として、下限電圧Ｖ１、及び、上限電圧Ｖ２より低い中間電圧Ｖ３を実際に印加することで、下限電圧印加時の出力電圧値ｖ１が下限規定範囲Ｓ１内にあるか否か、及び、上限電圧印加時の出力電圧値が上限規定範囲Ｓ２内にあるか否かを判定し、電圧測定回路部１０が正常か否かの自己診断を行うことができる。
【００４９】
従って、電圧生成回路部２０が発生しなければならない電圧値の最大値を、上限電圧Ｖ２から中間電圧Ｖ３に下げることができる分だけ、電圧生成回路部２０を小型化することが可能となる。この結果、上限電圧Ｖ２が非常に高い場合であっても、電圧生成回路部２０の大型化を抑制することができ、電圧測定装置１全体としても大型化を抑制することができる。
【００５０】
なお、中間電圧Ｖ３（下限電圧Ｖ１より大きく且つ上限電圧Ｖ２より小さい）に関し、中間電圧Ｖ３が小さい値であるほど、電圧生成回路部２０が発生しなければならない電圧値の最大値がより小さくなって電圧生成回路部２０をより小型化できる一方で、中間電圧印加時の出力電圧値ｖ３が中間規定範囲Ｓ３にあるか否かの判定結果に基づいて行われる「上限電圧印加時の出力電圧値が上限規定範囲Ｓ２内にあるか否かの判定」の判定精度がより低下する虞がある。従って、電圧生成回路部２０の小型化の要求度合と、電圧測定回路部１０が正常か否かの自己診断の要求精度と、を比較考量して、中間電圧Ｖ３が決定されることが好ましい。
【００５１】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５２】
上記実施形態では、入力電圧に対して出力電圧値がリニアに推移するとの過程の下、出力電圧値ｖ１と、上限規定範囲Ｓ２における「上限値」及び「下限値」とに基づいて、中間規定範囲Ｓ３が設定されている（図３参照）。これに対し、入力電圧に対して出力電圧値がリニアに推移するとの過程の下、出力電圧値ｖ１と、上限規定範囲Ｓ２における「上限値に基づく値」及び「下限値に基づく値」とに基づいて、中間規定範囲Ｓ３が設定されていてもよい。「上限値に基づく値」としては、例えば、上限値より僅かに小さい値が挙げられ、「下限値に基づく値」としては、例えば、下限値より僅かに大きい値が挙げられる。
【００５３】
更に、上記実施形態（図１参照）では、電圧測定回路部１０において、抵抗Ｒ３が断線した場合、オペアンプＯＰ２に、外部入力端子Ｈ１（入力部Ｐ１）の高い電圧が減圧されることなくほぼそのまま入力されることで、オペアンプＯＰ２に過度の負担がかかる場合がある。これに対し、図５に示す例では、１つの抵抗Ｒ３に代えて、２つの抵抗Ｒ３ａ及び抵抗Ｒ３ｂが並列的に接続される構成となっている。これにより、仮に、２つの抵抗Ｒ３ａ及び抵抗Ｒ３ｂのうち一方が断線した場合であっても、他方が正常に機能し得るため、オペアンプＯＰ２に、外部入力端子Ｈ１（入力部Ｐ１）の高い電圧から減圧された電圧が入力される。この結果、オペアンプＯＰ２にかかる負担の程度が小さくなる。
【００５４】
ここで、上述した本発明に係る自己診断機能付き電圧測定装置１、及び、電圧測定装置１の自己診断方法の実施形態の特徴をそれぞれ以下［１］〜［３］に簡潔に纏めて列記する。
［１］
２つの入力部（Ｐ１，Ｐ２）の間の電圧である入力電圧に応じた出力信号を発生する電圧測定回路部（１０）と、
所定範囲の電圧を生成可能な電圧生成回路部（２０）と、
前記電圧測定回路部（１０）及び前記電圧生成回路部（２０）に接続された制御部（４０）と、
を備え、
前記制御部（４０）は、
電圧測定モード時、
前記電圧測定回路部（１０）の前記出力信号に基づいて、前記入力電圧の測定結果を出力電圧値として検出するように構成され、
自己診断モード時、
入力電圧範囲の下限電圧（Ｖ１）を前記２つの入力部（Ｐ１，Ｐ２）の間に前記電圧生成回路部（２０）を用いて印加した第１状態で、前記電圧測定回路部（１０）の前記出力信号に基づいて検出された出力電圧値（ｖ１）が、前記入力電圧が前記下限電圧（Ｖ１）であるときに出力電圧値が採るべき下限規定範囲（Ｓ１）内にあるか否かを判定する第１判定を行い、
前記第１状態で検出された出力電圧値（ｖ１）、及び、前記入力電圧が前記入力電圧範囲の上限電圧（Ｖ２）であるときに出力電圧値が採るべき上限規定範囲（Ｓ２）に基づいて、前記入力電圧が前記下限電圧（Ｖ１）と前記上限電圧（Ｖ２）との間の中間電圧（Ｖ３）であるときに出力電圧値が採るべき中間規定範囲（Ｓ３）を設定し、
前記中間電圧（Ｖ３）を前記２つの入力部（Ｐ１，Ｐ２）の間に前記電圧生成回路部（２０）を用いて印加した第２状態で、前記電圧測定回路部（１０）の前記出力信号に基づいて検出された出力電圧値（ｖ３）が、前記設定された中間規定範囲（Ｓ３）内にあるか否かを判定する第２判定を行い、
前記第１判定及び前記第２判定の結果に基づいて、前記電圧測定回路部（１０）が正常か否かの自己診断を行うように構成された、自己診断機能付き電圧測定装置（１）。
［２］
上記［１］に記載の自己診断機能付き電圧測定装置（１）において、
前記制御部（４０）は、前記第１状態で検出された出力電圧値、並びに、前記上限規定範囲（Ｓ２）の上限値及び下限値に基づいて、前記中間規定範囲（Ｓ３）を設定するように構成された、自己診断機能付き電圧測定装置（１）。
［３］
２つの入力部（Ｐ１，Ｐ２）の間の電圧である入力電圧に応じた出力信号を発生する電圧測定回路部（１０）と、所定範囲の電圧を生成可能な電圧生成回路部（２０）とを備え、前記電圧測定回路部（１０）の前記出力信号に基づいて前記入力電圧の測定結果を出力電圧値として検出する電圧測定装置（１）の自己診断方法であって、
入力電圧範囲の下限電圧（Ｖ１）を前記２つの入力部（Ｐ１，Ｐ２）の間に前記電圧生成回路部（２０）を用いて印加した第１状態で、前記電圧測定回路部（１０）の前記出力信号に基づいて検出された出力電圧値（ｖ１）が、前記入力電圧が前記下限電圧（Ｖ１）であるときに出力電圧値が採るべき下限規定範囲（Ｓ１）内にあるか否かを判定する第１判定を行うステップと、
前記第１状態で検出された出力電圧値（ｖ１）、及び、前記入力電圧が前記入力電圧範囲の上限電圧（Ｖ２）であるときに出力電圧値が採るべき上限規定範囲（Ｓ２）に基づいて、前記入力電圧が前記下限電圧（Ｖ１）と前記上限電圧（Ｖ２）との間の中間電圧（Ｖ３）であるときに出力電圧値が採るべき中間規定範囲（Ｓ３）を設定するステップと、
前記中間電圧（Ｖ３）を前記２つの入力部（Ｐ１，Ｐ２）の間に前記電圧生成回路部（２０）を用いて印加した第２状態で、前記電圧測定回路部（１０）の前記出力信号に基づいて検出された出力電圧値（ｖ３）が、前記設定された中間規定範囲（Ｓ３）内にあるか否かを判定する第２判定を行うステップと、
前記第１判定及び前記第２判定の結果に基づいて、前記電圧測定回路部（１０）が正常か否かの自己診断を行うステップと、
を含む、電圧測定装置（１）の自己診断方法。
【符号の説明】
【００５５】
１      電圧測定装置
１０    電圧測定回路部
２０    電圧生成回路部
４０    制御部
Ｐ１，Ｐ２    入力部
Ｖ１    下限電圧
Ｖ２    上限電圧
Ｖ３    中間電圧
Ｓ１    下限規定範囲
Ｓ２    上限規定範囲
Ｓ３    中間規定範囲
【図１】
2020047092.tif 000003
【図２】
2020047092.tif 000004
【図３】
2020047092.tif 000005
【図４】
2020047092.tif 000006
【図５】
2020047092.tif 000007